(57)【要約】【課題】木製棚板の実際の厚みを薄くすることなく、見かけ上の厚みを薄くし、見付けが薄くて意匠性の高い棚板及びそれを用いた収納家具が得られるようにする。【解決手段】収納家具Ｆに設けられる木質材料からなる断面矩形板状の可動棚板１１として、幅方向端部の下側隅角部のみに切り欠き状の傾斜面１２を形成する。観察者Ｍが可動棚板１１を幅方向の一方から見下ろすように見たとき、可動棚板１１において傾斜面１２以外の端部上端の僅かな部位を強調して目に付くようにし、視線に沿った方向に延びる傾斜面１２は相対的に見え難くする。【選択図】図２
2014140403.tif 000002
【特許請求の範囲】
【請求項１】
木質材料からなる断面矩形板状の棚板であって、
四周の少なくとも一辺の端部の下側隅角部のみに切り欠き状の傾斜面が形成されていることを特徴とする棚板。
【請求項２】
請求項１において、
傾斜面の棚板上下面に対する傾斜角度は３０°以上４５°以下であることを特徴とする棚板。
【請求項３】
請求項１又は２において、
表面に塗装処理又はシート巻き込み処理が施されていることを特徴とする棚板。
【請求項４】
請求項１〜３のいずれか１つの棚板を備えたことを特徴とする収納家具。
【請求項５】
請求項４において
扉がないか又は透明の扉を有することを特徴とする収納家具。
【発明の詳細な説明】
【技術分野】
【０００１】
本発明は、木製の棚板及びその棚板を用いた収納家具に関し、特に棚板の前面から見た厚みである見付けを薄くするためのデザインに係る技術に関する。
【背景技術】
【０００２】
従来、この種の棚板として、特許文献１には、棚板材の折曲げ及び屈曲の加工により、その前面の下部を上部よりも段差状或いは傾斜状に後退させて、その後退部分に、下側の棚板状に載置された書籍の上部前端に指を掛けて書籍を前傾させるための指挿入用の空間を形成することで、上下に隣接する棚の段間隔を小さくできるようにした多段用棚板が提案されている。
【０００３】
また、特許文献２には、板金製棚板として、天板部と、この天板部の前後縁部に連続する断面コ字状の１対の折曲げ部と、この一方の折曲げ部から他方の折曲げ部に向かって延び、天板部の下側に間隔をあけて位置する底板部と、この低板部に連続し、折曲げ部から所定距離離れた位置で天板部の裏面に近接する補強部とを１枚の板金素材で構成し、その補強部を複数層の補強部にすることにより、棚板の撓み剛性を確保しつつその厚みを薄くできるようにしたものが提案されている。
【先行技術文献】
【特許文献】
【０００４】
【特許文献１】実公昭６１−２７４７２号公報
【特許文献２】特開２００４−８１２５３公報
【発明の概要】
【発明が解決しようとする課題】
【０００５】
ところで、上記従来の特許文献１及び２のものでは、鉄やステンレス鋼等の金属性材料を折り曲げ加工して棚板を形成している。これに対し、木質材料からなる木製の棚板では、その剛性や強度の確保のためにある程度以上の厚みが必要であり、その厚みを無闇に薄くすることはできず、例えば１０〜２０ｍｍ程度が一般的である。
【０００６】
しかし、このように剛性や強度のために棚板が厚くされていると、その正面から見た見付けがそのまま厚みとなって現れ、質実さは得られても、スマートな印象が得られず、野暮ったい印象となる。
【０００７】
特に、扉がないオープンタイプの収納家具やガラス製の扉を有する収納家具は、棚板上に載置されている収納物も含め、家具全体を意図的に見せるものであり、この点で棚板の印象は見映えを良くする上で重要となる。
【０００８】
本発明は斯かる点に鑑みてなされたものであり、その目的は、木製棚板の形状に工夫を加えることにより、その棚板の実際の厚みを薄くすることなく、見かけ上厚みが薄く見えるようにし、見付けが薄くて意匠性の高い棚板及びそれを用いた収納家具が得られるようにすることにある。
【課題を解決するための手段】
【０００９】
上記の目的の達成のため、この発明では、棚板は端部が視線を下向きにして見られることに着目し、その見方で棚板の端面下部が目立たないようにするために、端部の下側隅角部に傾斜面を形成するようにした。
【００１０】
具体的には、第１の発明は、木質材料からなる断面矩形板状の棚板であって、四周の少なくとも一辺の端部の下側隅角部のみに切り欠き状の傾斜面が形成されていることを特徴とする。
【００１１】
この第１の発明では、木質材料からなる断面矩形板状の棚板における端部の下側隅角部のみに切り欠き状の傾斜面が形成されているので、棚板を下側隅角部のある端部の側方から見下ろすように見たとき、棚板において傾斜面以外の端部上端の僅かな部位が強調されて目に付く一方、視線に沿った方向に延びる傾斜面は相対的に見え難くなる。このことで、棚板の厚みを厚くしても、見かけ上、その棚板端部の見付けは薄くなり、スマートな印象が得られる。
【００１２】
また、このように棚板の見付けが薄いものの、その実際の厚みは厚いので、棚板の剛性や強度を確保することができる。
【００１３】
第２の発明は、第１の発明において、上記傾斜面の棚板上下面に対する傾斜角度は３０°以上４５°以下であることを特徴とする。
【００１４】
この傾斜角度が４５°よりも大きいときには、平均的な大きさの人が見た場合に上記見付けの薄くなる効果が得難くなる。一方、傾斜角度が３０°未満のときは、端部の薄い部分が長くなり強度が弱くなる。よって、この第２の発明では、上記第１の発明の効果が有効に発揮される最適な傾斜角度が得られる。
【００１５】
第３の発明は、第１又は第２の発明において、棚板の表面に塗装処理又はシート巻き込み処理が施されていることを特徴とする。
【００１６】
この第３の発明では、棚板の表面に施された塗装処理又はシート巻き込み処理により棚板の意匠に一体感を生じさせることができる。
【００１７】
第４の発明は収納家具に係り、この収納家具は、第１〜第３の発明のいずれか１つの棚板を備えたことを特徴とする。
【００１８】
この第４の発明では、収納家具における棚板の見付けが薄くなるので、スマートな印象の収納家具が得られる。
【００１９】
第５の発明は、第４の発明において、収納家具は扉がないか又は透明の扉を有することを特徴とする。
【００２０】
この第５の発明では、見付けの薄い棚板を直接に又は透明の扉を通して見ることができ、常時スマートな印象の収納家具が得られる。
【発明の効果】
【００２１】
以上説明した如く、第１の発明によると、木質材料からなる断面矩形板状の棚板の少なくとも一辺の端部の下側隅角部のみに切り欠き状の傾斜面を形成したことにより、棚板の厚みを厚くして剛性や強度を確保しつつ、その棚板端部の見付けを薄くして、スマートな印象が得られる。
【００２２】
第２の発明によると、傾斜面の棚板上下面に対する傾斜角度を３０°以上４５°以下としたことにより、上記効果が有効に発揮されると共に、強度上も問題のない最適な傾斜角度が得られる。
【００２３】
第３の発明によると、棚板の表面に塗装処理又はシート巻き込み処理を施したことにより、棚板の意匠に一体感を生じさせることができる。
【００２４】
第４の発明によると、棚板を備えた収納家具としたことにより、収納家具における棚板の見付けが薄くなって、スマートな印象の収納家具が得られる。
【００２５】
第５の発明によると、収納家具は扉がないか又は透明の扉を有するものとしたことにより、見付けの薄い棚板を直接に又は透明の扉を通して見ることができ、常時スマートな印象の収納家具が得られる。
【図面の簡単な説明】
【００２６】
【図１】図１は、本発明の実施形態に係る可動棚板を備えた間仕切り収納家具の正面図である。
【図２】図２は、図１のII−II線断面図である。
【図３】図３は、可動棚板の斜視図である。
【図４】図４は、可動棚板の拡大断面図である。
【図５】図５は、可動棚板の変形例を示す図４相当図である。
【図６】図６は、可動棚板の傾斜面の傾斜角度を観察者の視線との関係に基づいて設定するための図である。
【発明を実施するための形態】
【００２７】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２８】
図１及び図２は、本発明の実施形態に係る棚板を備えた間仕切り収納家具Ｆを示し、この収納家具Ｆは、左右の側板１，１と、両側板１，１の上端部同士を連結する天板２と、両側板１，１の下端部同士を連結する底板３とを備えた矩形枠状のものであり、前後両側（図２で左右方向の両側）に開放され、前後の開口を開閉する扉が設けられていない。
【００２９】
上記左右の両側板１，１は底板３よりも上側の位置で固定棚板４により連結され、この固定棚板４及び底板３の左右中間部間には、上下方向に延びる間仕切り板５が連結されており、この間仕切り板５により固定棚板４及び底板３の間の空間が左右２室に区画されている。これらの２室には引出し６，６が収容され、各引出し６は、底板３に対しその上面に取付固定したスライドレール７により前後方向にスライド移動可能に案内されるように支持されており、このことで、各引出し６を前後両側に引き出して収納家具Ｆの前後両側から利用可能になっている。
【００３０】
また、底板３は下面中間部が凹陥されて箱形状に形成され、その凹陥部底面にはキャスター８，８，…が取り付けられており、これらのキャスター８，８，…により収納家具Ｆを移動可能としている。
【００３１】
上記天板２と固定棚板４との間に位置する部分の左右側板１，１の内面（相対する側板１，１への対向面）には、各段で同じ高さ位置に位置する前後２つの有底状のダボ穴１ａ，１ａが高さ方向に複数段（図示例では７段）に並んで形成され、各段のダボ穴１ａ，１ａは左右の側板１，１で同じ高さ位置に配置され、これら左右の複数段のダボ穴１ａ，１ａ，…のうちの所定の２つの段のダボ穴１ａ，１ａ，…にそれぞれダボ１０，１０，…が挿入されている。そして、左右の側板１，１のダボ１０，１０，…間に上下２枚の可動棚板１１，１１がその長さ方向及び幅方向の両端部をそれぞれ４つのダボ１０，１０，…で載置されかつ各ダボ１０の上部を可動棚板１１の下面に形成した凹部１１ａに嵌挿した状態で掛け渡されている。また、ダボ１０，１０，…が挿入されるダボ穴１ａ，１ａ，…の段の高さ位置を変えることにより、可動棚板１１の高さ位置を変更できるようにしている。
【００３２】
図３及び図４に示すように、上記各可動棚板１１は木質材料からなる断面矩形板状のものであり、その表面に塗装処理又はシート巻き込み処理が施されている。
【００３３】
また、可動棚板１１の前後方向に相当する幅方向両端部にはその下側隅角部のみに切り欠き状の傾斜面１２が形成されている。この傾斜面１２はその上端が可動棚板１１の幅方向端面において可動棚板１１の上面に近接するように形成されており、可動棚板１１の幅方向端面においては、傾斜面１２上部に縦面１３（図５参照）が形成されず、傾斜面１２のみとなっている。
【００３４】
尚、このような構造に限定されず、図５に示すように、傾斜面１２をその上端が可動棚板１１の上面から離れるように形成することで、可動棚板１１の幅方向端面に傾斜面１２上部に位置する縦面１３を形成してもよい。この場合、可動棚板１１の幅方向の両端面は、上部に形成され可動棚板１１上面の幅方向端部に連続する縦面１３と、上端が該縦面１３の下端に連続する一方、下端が可動棚板１１下面に連続する傾斜面１２とからなる。
【００３５】
上記傾斜面１２の可動棚板１１上下面（可動棚板１１を収納家具Ｆに設置したときの水平面）に対する傾斜角度θは３０°以上４５°以下（θ＝３０〜４５°）であることが望ましい。この傾斜角度θが３０°未満のときには、薄い部分が増えて強度が弱くなる一方、４５°よりも大きいときには、平均的な身長の大きさの人が見たときに、見かけ上の可動棚板１１の見付けが薄くなる効果が得難くなるからである。
【００３６】
すなわち、収納家具Ｆにおける可動棚板１１を観察者Ｍが見るときの目の高さ位置が低いほど、上記傾斜角度θを小さくすることで可動棚板１１の見付けが薄くなる。また、収納家具Ｆにおける可動棚板１１を見るときの位置が可動棚板１１から離れているほど、傾斜角度θを小さくすることで可動棚板１１の見付けが薄くなる。さらに、可動棚板１１の高さ位置が高いほど、傾斜角度θを小さくすることで可動棚板１１の見付けが薄くなる。そこで、図６に示すように、観察者Ｍの目の高さＨ、観察者Ｍが収納家具Ｆの可動棚板１１における幅方向の手前側端部から離れている距離Ｌ、可動棚板１１の高さ位置ｈを次の条件に設定する。
【００３７】
目の高さＨとして、
Ｈ１＝１４０ｃｍ（観察者Ｍは身長が１５０ｃｍ程度の小柄な女性）
Ｈ２＝１５０ｃｍ（観察者Ｍは身長が１６０ｃｍ程度の平均的な女性）
Ｈ３＝１６０ｃｍ（観察者Ｍは身長が１７０ｃｍ程度の平均的な男性）
を設定する。
【００３８】
また、上記距離Ｌとして、観察者Ｍの腕の長さが６５〜７５ｃｍであるとき、
Ｌ１＝６０ｃｍ（可動棚板１１は観察者Ｍの手が届く範囲にある）
Ｌ２＝９０ｃｍ（可動棚板１１は観察者Ｍから少し離れている）
Ｌ３＝１２０ｃｍ（可動棚板１１は観察者Ｍからかなり離れている）
を設定する。
【００３９】
さらに、収納家具Ｆの全高さは１２０ｃｍとし、その最上段の可動棚板１１の高さｈは、その上面として上記全高さ１２０ｃｍから３０ｃｍ下がった９０ｃｍとする（図２参照）。
【００４０】
以上の条件において、目の高さ位置Ｈｎ（＝Ｈ１，Ｈ２，Ｈ３）で距離Ｌｎ（＝Ｌ１，Ｌ２，Ｌ３）であるときの視線に沿った方向と水平面との視線角度θｎ（＝θ１，θ２，θ３）は、計算式
ｔａｎθｎ＝（Ｈｎ−９０）／Ｌｎ
θｎ＝ｔａｎ−１｛（Ｈｎ−９０）／Ｌｎ｝
から以下のようになる。
【００４１】
（1）Ｈ１＝１４０ｃｍ
θ１＝４０°、θ２＝２９°、θ３＝２２°
（2）Ｈ２＝１５０ｃｍ
θ１＝４５°、θ２＝３３°、θ３＝２７°
（3）Ｈ３＝１６０ｃｍ
θ１＝５０°、θ２＝３７°、θ３＝３０°
これらの視線角度θ１，θ２，θ３よりも傾斜面１２の傾斜角度θが大きいと、観察者から当該傾斜面１２が見える（目に入る）ようになる。
【００４２】
そして、観察者Ｍが実際に関心を持って収納家具Ｆの可動棚板１１を見るのは、遠くてもＬ２＝９０ｃｍ（少し離れている程度）までであり、一般的にはＬ１＝６０ｃｍ（手が届く範囲）以下である。これらの結果、上記傾斜面１２の傾斜角度θの最大値は４５°とするのが好ましい。平均身長の男女が、手の届く範囲にある棚板１１を見た場合、上記（2）のθ１に示される４５°が限界と考えられる。
【００４３】
また、傾斜角度θが３０°あれば小柄な女性が少し離れた棚を見た場合θ２＝２９°となっており、この角度以下にする必要性が少なく、一方、３０°よりも小さくなれば、棚板の薄い部分が長くなって強度上問題が生じる（例えば、一般的な厚み３０ｍｍの棚板の場合、３０°であれば端部からの長さが約５０ｍｍとなり、これ以上長くなると取り扱い時に薄い部分のみを掴むことになり、折れ易くなる）。
【００４４】
したがって、上記実施形態においては、間仕切り収納家具Ｆの各可動棚板１１が木質材料からなる断面矩形板状のものであり、その可動棚板１１における幅方向端部の下側隅角部のみに切り欠き状の傾斜面１２が形成されているので、観察者Ｍが可動棚板１１を幅方向の一方から見下ろすように見たとき、可動棚板１１において傾斜面１２以外の端部上端の僅かな部位が強調されて目に付く一方、視線に沿った方向に延びる傾斜面１２は相対的に見え難くなり、特に最上段の可動棚板１１で顕著となる。このことで、可動棚板１１の厚みを厚くしても、見かけ上、その可動棚板１１端部の見付けは薄くなり、スマートな印象の可動棚板１１及び収納家具Ｆが得られる。特に、実施形態の間仕切り収納家具Ｆは扉がないので、見付けの薄い可動棚板１１を直接に見ることができ、常時スマートな印象の収納家具Ｆが得られる。
【００４５】
しかも、上記傾斜面１２の可動棚板１１上下面に対する傾斜角度θが３０°以上４５°以下であるので、上記見付けが薄くなる効果が有効に発揮されると共に強度上も問題のない最適な傾斜角度θが得られる。
【００４６】
また、このように可動棚板１１の見付けが薄いものの、その実際の厚みは厚いので、可動棚板１１の剛性や強度を確保することができる。
【００４７】
さらに、上記可動棚板１１の表面に塗装処理又はシート巻き込み処理が施されているので、その塗装処理又はシート巻き込み処理により可動棚板１１の意匠に一体感を生じさせることができる。
【００４８】
（その他の実施形態）
尚、上記実施形態では、可動棚板１１の幅方向両側に傾斜面１２を形成しているが、必要に応じて一方の端部のみに傾斜面１２を形成することもできる。要は、棚板の四周の少なくとも一辺の端部の下側隅角部のみに切り欠き状の傾斜面が形成されていればよい。
【００４９】
また、上記実施形態は、扉のない間仕切り収納家具Ｆの可動棚板１１の場合であるが、本発明は、透明の扉を有する収納家具の可動棚板や固定棚板にも適用することができ、上記実施形態と同様の作用効果が得られる。さらに、本発明は、不透明な扉を有する収納家具の棚板やその他の家具の棚板にも適用できるのは勿論である。
【産業上の利用可能性】
【００５０】
本発明は、棚板の剛性や強度を低下させることなく見付けを薄くしてスマートな印象が得られるので、極めて有用で産業上の利用可能性が高い。
【符号の説明】
【００５１】
Ｆ  間仕切り収納家具
１１  可動棚板（棚板）
１２  傾斜面
θ  傾斜角度
Ｍ  観察者
Ｈ  目の高さ
Ｌ  距離
ｈ  最上段可動棚板の高さ
【図１】
2014140403.tif 000003
【図２】
2014140403.tif 000004
【図３】
2014140403.tif 000005
【図４】
2014140403.tif 000006
【図５】
2014140403.tif 000007
【図６】
2014140403.tif 000008